(57)【特許請求の範囲】
【請求項１】
ボトルを梱包するための帯状の可撓性のプラスチックシートにより形成されたボトル用梱包体であって、
前記プラスチックシートの中央二箇所に形成された折り目を折り曲げて前記ボトルの底を保持する底部と、
前記底部の両側の前記折り目に連続し、端部に前記ボトルのショルダ部を固定するショルダ穴を有する保持部と、端部に切欠穴を有する保持部と、
前記ショルダ穴を有する保持部に連続し、前記プラスチックシートの幅を狭めて凸形に形成された交差部と、
前記切欠穴を有する保持部に連続し、前記ボトルの先端部が挿入されるネック穴が形成されたボトルネック部と、を有し、
ボトルの梱包時には前記切欠穴に前記凸形に形成された交差部が挿入され、
前記交差部と前記ボトルネック部は、共に端部に把手穴を有することを特徴とするボトル用梱包体。
【請求項２】
前記底部の二箇所の前記折り目には、前記ボトルの底を保持するためのビン底固定穴が形成されていることを特徴とする請求項１記載のボトル用梱包体。
【請求項３】
前記ネック穴には複数の切込みが形成されていることを特徴とする請求項１記載のボトル用梱包体。
【請求項４】
前記交差部と前記ボトルネック部に形成された把手穴のいずれかが返しタブを有することを特徴とする請求項１記載のボトル用梱包体。
【請求項５】
前記ボトルネック部の前記ボトルの先端部を挿入してボトル先端部を固定するネック穴が二個形成されることを特徴とする請求項１乃至４のいずれか１項に記載されたボトル用梱包体。
【発明の詳細な説明】
【技術分野】
【０００１】
ボトルに簡単に装着して持ち運ぶためのボトル用梱包体に関する。
【背景技術】
【０００２】
ワインや果汁を入れたボトルは、そのままの状態では持ち運びが不便であり、特に店頭にワイン等を並べて販売する際、ワインボトルを入れて直ぐに手渡しできる簡便な梱包体が必要であり、様々なボトル梱包体が紹介されている。
【０００３】
例えば特許文献１には、ワインボトル等を簡単に梱包して搬送できる低コストのボトル用梱包体が開示されている。
【先行技術文献】
【特許文献】
【０００４】
【特許文献１】特開２０００−１４２７８４号公報
【発明の概要】
【発明が解決しようとする課題】
【０００５】
しかしながら、大量販売を目的とする店頭販売では、ワインボトルを並べて陳列し、その場で購入する客に手渡しする必要があるため、夫々ワインボトルを布製の手提げ袋や段ボール箱に詰めて渡していては、作業に手間が掛かり人手も必要となるという課題があった。
【０００６】
そして、宣伝のため印刷や装飾を施した飾り箱や布製の手提げ袋は、製作コストが高いためワイン購入時に無料で提供するには制限があった。
【０００７】
また、新酒の発売や季節限定のワイン発売の場合には、ボトルの形やラベル等を見せて販売するため、布製や紙製の手提げ袋に入れたままで店頭に飾ることは出来ない。そのため、ワインボトルと手提げ袋は別々にする必要があった。
【０００８】
本発明は、上述した課題を解決すべくなされたもので、透明または不透明な帯状のプラスチックシートで梱包し、梱包した状態でワインボトル等の外観を見せ、且つ宣伝のための装飾も表示できて、直ぐにボトルを顧客に手渡しできる簡便なボトル用梱包体を提供することを目的とする。
【課題を解決するための手段】
【０００９】
本発明は、上記課題を解決するため、以下の構成を備えるものである。
【００１０】
（１）ボトルを梱包するための帯状の可撓性のプラスチックシートにより形成されたボトル用梱包体であって、
前記プラスチックシートの中央二箇所に形成された折り目を折り曲げて前記ボトルの底を保持する底部と、
前記底部の両側の前記折り目に連続し、端部に前記ボトルのショルダ部を固定するショルダ穴を有する保持部と、端部に切欠穴を有する保持部と、
前記ショルダ穴を有する保持部に連続し、前記プラスチックシートの幅を狭めて凸形に形成された交差部と、
前記切欠穴を有する保持部に連続し、前記ボトルの先端部が挿入されるネック穴が形成されたボトルネック部と、を有し、
ボトルの梱包時には前記切欠穴に前記凸形に形成された交差部が挿入され、
前記交差部と前記ボトルネック部は、共に端部に把手穴を有することを特徴とするボトル用梱包体。
【００１１】
（２）前記底部の二箇所の前記折り目には、前記ボトルの底を保持するためのビン底固定穴が形成されていることを特徴とする前記（１）記載のボトル用梱包体。
【００１２】
（３）前記ネック穴には複数の切込みが形成されていることを特徴とする前記（１）記載のボトル用梱包体。
【００１３】
（４）前記交差部と前記ボトルネック部に形成された把手穴のいずれかが返しタブを有することを特徴とする前記（１）記載のボトル用梱包体。
【００１４】
（５）前記ボトルネック部の前記ボトルの先端部を挿入してボトル先端部を固定するネック穴が二個形成されることを特徴とする前記（１）乃至（４）のいずれか１項に記載されたボトル用梱包体。
【発明の効果】
【００１５】
本発明は、透明または不透明な帯状のプラスチックシートを折り曲げてボトルに装着する梱包体で、梱包した状態でもワインボトル等の外観を見せることが可能で、宣伝のための装飾も表示でき、購入した客に直ぐにボトルを手渡しできる簡便で低コストのボトル用梱包体を提供できる。
【図面の簡単な説明】
【００１６】
【図１】本実施例に係るボトル用梱包体の展開図
【図２】本実施例に係るボトル用梱包体をボトルに装着した斜視図
【図３】ボトル用梱包体を取付ける工程を説明するための図
【図４】本実施例に係るボトル用梱包体の装着例で、（ａ）いかり肩のワインボトルへの装着図、（ｂ）楕円形のワインボトルへの装着図、（ｃ）首長のワインボトルへの装着図
【発明を実施するための形態】
【００１７】
以下、本発明の形態を実施例に従って説明する。
【実施例】
【００１８】
図１は、ボトル用梱包体１の展開図で、長方形或いは帯状の可撓性のプラスチックシート材で作成される。図２は、ボトル用梱包体１をボトル１０に装着した状態を示す図である。
【００１９】
図１に示すように、ボトル用梱包体１は、長手方向の上部からボトルネック部１ａ、保持部１ｂ、底部１ｃ、保持部１ｄ、交差部１ｅの五つの領域で構成されている。また、ボトル用梱包体１の両端部（ボトルネック部１ａと交差部１ｅ）には、長穴状に把手穴２ａ、２ｄを有する把手部２が形成されている。ボトルネック部１ａは、把手部２とネック穴３と交差切欠穴４を有する。そして、把手部２には、指を通して握るための把手穴２ａと、該把手穴２ａと交差部１ｅの把手部２の把手穴２ｄを連結するための返しタブ２ｂを有している。返しタブ２ｂは、図２に示すように、把手穴２ａを切抜く際、完全に切抜かずに折り目２ｃの部分を形成し、切り抜き部分をボトルネック部１ａと交差部１ｅの連結機構として有効に利用している。
【００２０】
ネック穴３は、コルク栓やキャップを備えたボトルネック先端がスムーズに挿入し易いように複数の切込み３ａを有している。交差切欠穴４の切込み幅は、交差部１ｅの横幅と同じ長さに形成し、両端に弧状の切込みを入れて交差部１ｅを挿入し易いように形成されている。透明素材または不透明素材の保持部１ｂ，１ｄは、ボトル側面に沿ってボトル１０を保持する機能を有する共に、新酒やワイン等のラベルを隠すことなく見せることが可能で、或いは社名やイベント等の宣伝用の表示部分として利用することもできる。また、一方の保持部１ｄには、ボトル１０のネック部分を挿入してボトル１０のショルダ部分を保持するショルダ穴７が形成されている。ショルダ穴７は、ワイボトルの様々な形状に合わせて、穴の形成位置やサイズを変えることができる。
【００２１】
底部１ｃには、ボトル１０の底を固定するビン底固定穴５が両側に設けられている。ボトル１０の径に合わせて形成されたビン底固定穴５を中央にして、左右に底部折り目６が設けられ、保持部１ｂ，１ｄのビン底固定穴５がボトル底を側面から保持する働きをする。交差部１ｅは、ボトルネック部１ａの交差切欠穴４に挿入できるように横幅を狭くして凸形状に成形され、両端に保持部１ｂの交差切欠穴４に挿入した際のメカストップ機能を有するエッジ８が形成されている。また、交差部１ｅの先端には、把手穴２ｄを有する把手部２が形成され、ボトルネック部１ａの把手穴２ｄと返しタブ２ｂで連結される。
【００２２】
図２に示すように、ボトル１０に装着された透明素材または不透明素材のボトル用梱包体１は、ボトル１０の外観を隠すことなく見せることができるため、ボトル搬送体１を装着した状態で飾ることができる。予めワインボトル１０に装着しておけば、店頭販売での布製の手提げ袋や段ボール箱に詰めて渡す必要がなく、作業の手間や人手を掛ける必要がなくなり効率的な販売ができる。
【００２３】
本実施例に係るボトル搬送体１を形成する透明または不透明の素材は、ペットボトルに代表されるＰＥＴ（Ｐｏｌｙｅｔｈｙｌｅｎｅ  Ｔｅｒｅｐｈｔｈａｌａｌｅ）樹脂と、食品容器に広く利用されているＰＰ（Ｐｏｌｙｐｒｏｐｙｌｅｎｅ）樹脂等の一般的なプラスチックシート材を使用している。ＰＥＴ樹脂の場合は、再生Ｇ−ＰＥＴ樹脂製（非結晶性ＰＥＴ）のシート、或いは再生Ａ−ＰＥＴ樹脂製（半結晶性ＰＥＴ）のシートを使用する。ＰＰ樹脂の場合は、透明性または不透明性ＰＰ樹脂、或いは１４０℃の耐熱ＰＰ樹脂を使用する。しかし、使用される素材は、ある程度の強度を備えていれば良く、形成するプラスチック素材の種類を特に限定するものではない。
【００２４】
図３は、本実施例に係るボトル搬送体１の組み立て方と、ボトル１０への装着工程を（ａ）〜（ｃ）に示す。図３（ａ）に示すように、ボトル搬送体１の底部１ｃの両側に形成された底部折り目６を折り曲げて、保持部１ｂと保持部１ｄを対向させる。図３（ｂ）に示すように、ボトル用梱包体１の交差部１ｅをボトルネック部１ａの交差切欠穴４にエッジ８まで挿入して、保持部１ｂと保持部１ｄを交差させた状態にする。
【００２５】
交差した保持部１ｄのショルダ穴７にボトル１０の瓶口先端を挿入し、更に瓶口先端をボトルネック部１ａのネック穴３に挿入した後、ボトルネック部１ａと交差部１ｅにより突出したボトル１０の瓶口部分を挟み込むようにする。図３（ｃ）に示すように、ボトル１０の瓶口部分を挟み込んだボトルネック部１ａと交差部１ｅは、端部に形成された把手部２を張り合わせて返しタブ２ｂを把手穴２ａに通し折曲げて連結し、把手部２を張り合わせた状態で固定する。連結する際、把手部２と返しタブ２ｂに接着テープを予め設けても良く、簡単に把手部２を連結することができる。
【００２６】
図４は、形状の異なるボトル１０にボトル搬送体１を装着した例で、図４（ａ）は、ボルドーワイン等のいかり肩の形状のボトル１０で、図４（ｂ）は、フランケンワインやマテウスワイン等の横幅のある楕円形のボトル１０である。なお、図２に示したボトル用梱包体１の形状は、ブルゴーニュワインやモーゼルワイン等のなで肩形状のボトル１０に適合した形状である。
【００２７】
図４（ｃ）は、イタリアのワイン等に見られるボトル１０の首が長いキャメルネックの場合で、ネック穴３を二箇所に設けてボトル１０の瓶口部分を挿入することで、把手部２を片側に傾けて装着することが可能な例である。また、ボトル用梱包体１を作成する際、ボトル１０の形状に合わせショルダ穴７や長さを変更しても良く、図４（ｂ）に示す横幅のある楕円形状のボトル１０の場合は、保持部１ｂ，１ｄを台形状に形成し、それに合わせて底部１ｃの幅を広くした形状であっても良い。顧客の用途に合わせ、低コストでボトル搬送体１の形状を任意に形成することができる。
【００２８】
以上、透明または不透明で帯状のプラスチックシートを折り曲げてワインボトル等に装着する梱包体で、梱包した状態でワインボトル等の外観を見せることが可能で、宣伝のための装飾も表示でき、購入した客に直ぐにボトルを手渡しできる簡便で低コストで作成可能なボトル用梱包体を提供できる。
【符号の説明】
【００２９】
１    ボトル搬送体
１ａ  ボトルネック部
１ｂ  保持部
１ｃ  底部
１ｄ  保持部
１ｅ  交差部
２    把手部
２ａ  把手穴
２ｂ  返しタブ
２ｃ  折り目
３    ネック穴
４    交差穴
５    ビン底固定穴
６    底部折り目
７    ショルダ穴
８    エッジ
１０  ボトル
【図１】
0005567099.tif 000002
【図２】
0005567099.tif 000003
【図３】
0005567099.tif 000004
【図４】
0005567099.tif 000005